(57)【要約】【課題】保持部材をコンパクト化することができる誘導加熱調理器を得る。【解決手段】被加熱物１０が載置されるトッププレート１１と、トッププレート１１に形成され、被加熱物１０の載置位置を示す加熱口１２と、トッププレート１１の下方に配置され、１つの加熱口１２に対して複数設けられた加熱コイル２と、１つの加熱口１２に対して設けられた複数の加熱コイル２を保持するコイルベース６と、コイルベース６の下方に設けられ、コイルベース６を支持する支持手段７と、を備え、支持手段７は、平面視において隣接する加熱コイル２間に配置された。【選択図】図２
2012243497.tif 000002
【特許請求の範囲】
【請求項１】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
を備え、
前記支持手段は、平面視において隣接する前記加熱コイル間に配置された
ことを特徴とする誘導加熱調理器。
【請求項２】
前記加熱コイルに高周波電流を供給する駆動回路を備え、
前記支持手段は、
隣接する前記加熱コイルのうち、一方の加熱コイルから生じる磁束と他方の加熱コイルから生じる磁束とが、平面視において逆向きとなる位置に配置された
ことを特徴とする請求項１記載の誘導加熱調理器。
【請求項３】
前記複数の加熱コイルは、
平面視において、略円形または略楕円形状に形成され、
前記支持手段は、
前記保持部材の下方のうち、前記複数の加熱コイルの各中心間を結ぶ直線上以外の位置に設けられる
ことを特徴とする請求項１または２記載の誘導加熱調理器。
【請求項４】
前記保持手段の外周に前記複数の加熱コイルを取り囲むように設けられ、前記複数の加熱コイルからの磁束漏れを抑制する防磁手段を備え、
前記支持手段は、平面視において前記防磁手段の内側に設けられた
ことを特徴とする請求項１〜３の何れかに記載の誘導加熱調理器。
【請求項５】
前記防磁手段は、
短冊状の導電性部材の両端部を電気的に導通可能に結合して形成され、
前記両端部を結合した結合部が、平面視において隣接する前記加熱コイル間に配置された
ことを特徴とする請求項１〜４の何れかに記載の誘導加熱調理器。
【請求項６】
前記支持手段は、
前記保持部材を前記トッププレートの裏面に押し付けるように支持する
ことを特徴とする請求項１〜５の何れかに記載の誘導加熱調理器。
【請求項７】
前記トッププレートと前記保持部材との間であって、前記支持手段の上方に設けられ、前記トッププレートと前記複数の加熱コイルとの間隔を、所定の間隔に保つ間隔保持部材を備えた
ことを特徴とする請求項１〜６の何れかに記載の誘導加熱調理器。
【発明の詳細な説明】
【技術分野】
【０００１】
本発明は、複数の加熱コイルを有する誘導加熱調理器に関するものである。
【背景技術】
【０００２】
従来の技術においては、例えば、「被加熱物を載置するトッププレートと、前記トッププレートの下方に設けられ、平面視において互いの中心位置が異なる複数の誘導加熱コイルと、前記誘導加熱コイルを冷却する冷却風を供給する送風機と、複数の前記誘導加熱コイルのそれぞれを保持する複数のコイル保持部材と、前記コイル保持部材を支持する支持手段と、を備え、複数の前記コイル保持部材が、一体的に形成されて又は互いに固着されて単一のコイル保持体を構成することを特徴とする誘導加熱調理器。」が提案されている（例えば、特許文献１参照）。
【先行技術文献】
【特許文献】
【０００３】
【特許文献１】特開２０１０−２７２４５９号公報（請求項１）
【発明の概要】
【発明が解決しようとする課題】
【０００４】
従来の誘導加熱調理器では、一般的にほぼ等しい直径の複数の加熱コイルが用いられており、これらの加熱コイルは内部で筐体の上面となるトッププレートの下方に設置されている。加熱コイルが設置される際には、加熱コイルを保持する保持部材（コイルベース）により各々の加熱コイルが保持されるとともに、保持部材を支持する支持手段によりトッププレートの裏面に押し当てられるようになっている。一般的な誘導加熱調理器の加熱口の構成としては、一個の加熱口に対して一組の加熱コイルと対応する駆動回路から成り、保持部材も個別に駆動可能な加熱コイルに対して一個備えるものであった。
従って、個別に駆動可能な加熱コイルの設置数に応じた数だけ保持部材を備える必要がある。このため、筐体内の保持部材用の載置エリアが増え、周辺に電子部品や風路を設置するための大きな空間が減少してしまい、電子部品点数の増加に伴うコスト増加、もしくは風路面積減少に伴い通風抵抗が増加することで、冷却用ファン高速化による運転騒音が増加する傾向にあった。
【０００５】
そのような課題に対応するため、上記特許文献１に記載の誘導加熱調理器では、複数の加熱コイルをそれぞれ保持する複数の保持部材が一体的に形成されて又は互いに固着されて単一の保持部材を構成している。これによれば、支持手段の数が少なくできるために通風抵抗の増加を抑制できるとともに、部品点数を減らして組立作業を簡素化できるという狙いがある。
【０００６】
しかしながら、特許文献１に記載の誘導加熱調理器では、保持部材が保持する加熱コイルの数が多い場合、もしくは保持部材のサイズが大きい場合には、支持手段が複数の加熱コイルから離れた外周にあるため、保持部材の占有スペースが増えてしまう、という問題点があった。
また、保持部材の占有スペースが増えることで、例えば保持部材の下方に電子回路を配置する場合には、高さが制限されたり誘導加熱の影響などが生じることとなる。
【０００７】
また、加熱コイルから離れた位置に少ない支持手段で保持部材を支持しているため、保持部材が撓み易くなる、という問題点があった。
更に、強度確保のために、保持部材にリブを多数入れるなどして強固にしても、保持部材の重量増加に伴うコストアップや、加熱コイルを冷却するための露出面積の減少による冷却能力の低下、更には運転騒音の増加に繋がる恐れがあった。
【０００８】
また、支持手段が圧縮バネなど金属製の場合、加熱コイルの下方に支持手段を設けると誘導加熱され易く、高温化することで周辺部品が想定以上の熱変形が発生するなど劣化してしまう、という問題点があった。
【０００９】
更に、支持手段を、銅線などで高密度に形成された加熱コイルの下方に設けている。このため、加熱コイルと保持部材などから構成される加熱コイルユニットを筐体内に設置する場合、加熱コイルの下方に組み付け箇所が位置することとなる。これにより、加熱コイルユニットの被支持部分と支持手段との組立作業時に、加熱コイルユニットの上方から組み付け箇所が確認しづらく組立性が悪い、という問題点があった。そのため、複数の加熱コイルを一体的に保持する構成としてあまり現実的なものではなかった。
【００１０】
本発明は、上記のような課題を解決するためになされたもので、保持部材をコンパクト化することができる誘導加熱調理器を得るものである。
また、保持部材の撓みを抑制することができる誘導加熱調理器を得るものである。
また、組立性を向上することができる誘導加熱調理器を得るものである。
【課題を解決するための手段】
【００１１】
本発明に係る誘導加熱調理器は、被加熱物が載置されるトッププレートと、前記トッププレートに形成され、前記被加熱物の載置位置を示す加熱口と、前記トッププレートの下方に配置され、１つの前記加熱口に対して複数設けられた加熱コイルと、１つの前記加熱口に対して設けられた前記複数の加熱コイルを保持する保持部材と、前記保持部材の下方に設けられ、前記保持部材を支持する支持手段と、を備え、前記支持手段は、平面視において隣接する前記加熱コイル間に配置されたものである。
【発明の効果】
【００１２】
本発明は、支持手段を平面視において隣接する加熱コイル間に配置したので、保持部材をコンパクト化することができる。また、保持部材の撓みを抑制することができる。また、組立性を向上することができる。
【図面の簡単な説明】
【００１３】
【図１】実施の形態１に係る誘導加熱調理器の全体斜視図である。
【図２】実施の形態１に係る加熱コイルユニットの構成図である。
【図３】実施の形態１に係る誘導加熱調理器のブロック構成図である。
【図４】実施の形態１に係る加熱駆動動作を説明する図である。
【図５】実施の形態１に係る加熱コイルユニットの別の例を示す上面図である。
【発明を実施するための形態】
【００１４】
実施の形態１．
（構成）
図１は実施の形態１に係る誘導加熱調理器の全体斜視図である。
図１に示すように、本実施の形態の誘導加熱調理器１００は、筐体１の上面にトッププレート１１が設けられ、鍋などの被加熱物１０を載置できるようになっている。トッププレート１１には、加熱口１２（１２ａ、１２ｂ、１２ｃをまとめて１２と呼ぶ）が形成されており、被加熱物１０を載置する位置を示している。ここでは、筐体１の手前左右の２箇所と、筐体１の奥ほぼ中央の１箇所に加熱口１２が配置されている。
また、トッププレート１１の後方には複数の通気孔が形成されており、冷却ファン１４（１４ａ、１４ｂをまとめて１４と呼ぶ）が筐体１の外部から吸気する吸気口１５（１５ａ、１５ｂをまとめて１５と呼ぶ）と、筐体１内部の冷却後に筐体１の外部へ排気する排気口１６に、冷却空気が通過するようになっている。ここではトッププレート１１の後方に通気孔を形成している場合を例に示しているが、これに限定するものではなく、例えば、トッププレート１１後方の通気孔をなくして筐体１前面及び背面に通気孔を形成してもよい。また、冷却ファン１４は軸流ファンの場合を例に示しているが、これに限定するものではない。
また、トッププレート１１の前方には、ユーザから指示を受け付けるための操作部５が設けられている。
【００１５】
筐体１の内部かつトッププレート１１の下方には、加熱コイルユニット１３が配置されている。筐体１の中央底部にはグリル９が配置され、グリル９を挟んで筐体の右側には右制御基板２５ａとその後方に右冷却ファン１４ａを配設し、右制御基板２５ａの上方には右加熱コイルユニット１３ａが設けられている。同様に、グリル９を挟んで右側と略対称に、左制御基板（図示省略）とその後方に左冷却ファン１４ｂを配設し、左制御基板の上方には左加熱コイルユニット１３ｂが設けられている。
【００１６】
各制御基板２５は、加熱コイル２に高周波電源を供給させるためのインバータ３と、加熱コイル２や冷却ファン１４を駆動させる駆動モータを制御する制御部８と、鍋などの被加熱物１０のトッププレート１１上での載置状態を検知する鍋載置判別部４と、を有している。インバータ３は、スイッチング素子等の発熱部分で形成された回路と、その回路に接続されている１または２以上のコンデンサとで構成されている。
【００１７】
加熱コイルユニット１３上の加熱コイル２は、電流によって発生する磁力線によって、加熱コイル２（後述）の上方に載置される被加熱物１０に渦電流が生じ、被加熱物１０自体を発熱させるようになっている。
なお、本実施の形態では、３つの加熱口１２の全てが誘導加熱できるよう加熱コイルユニット１３を配置しているが、中央後方の加熱口１２などで商用周波数の交流電力が供給されてヒータそのものが発熱することにより輻射熱で被加熱物１０を加熱するラジエントヒータ（図示せず）など他の加熱方式を採用しても良い。
【００１８】
図２は実施の形態１に係る加熱コイルユニットの構成図である。
図２に示すように本実施の形態では、単独で被加熱物１０を加熱可能な第一の加熱コイル２ａと、この第一の加熱コイル２ａと共同または単独で被加熱物１０を加熱可能な第二の加熱コイル２ｂ及び第三の加熱コイル２ｃとが設けられている。
第一の加熱コイル２ａ、第二の加熱コイル２ｂ、および、第三の加熱コイル２ｃは、それぞれ高周波電流を供給されることにより高周波磁界を発生し、トッププレート１１上に載置された被加熱物１０に渦電流を発生させることで、被加熱物１０を加熱するようになっている。
図２では、略円形状に形成された第一の加熱コイル２ａの周辺に、略楕円形状に形成された第二の加熱コイル２ｂを２箇所に分けて配置し、また略楕円形状に形成された第三の加熱コイル２ｃを２箇所に分けて配置する例を示す。
また、第二の加熱コイル２ｂ及び第三の加熱コイル２ｃは略同一形状とし、筐体上方から見て（平面視）、前後左右に合わせて４箇所に位置するよう配置されている。つまり、２つの第二の加熱コイル２ｂが、第一の加熱コイル２ａを挟んで左右方向に対向して配置され、２つの第三の加熱コイル２ｃが、第一の加熱コイル２ａを挟んで前後方向（奥行き方向）に対向して配置されている。
また、第二の加熱コイル２ｂの２個、及び第三の加熱コイル２ｃの２個は、それぞれ電気的に直列に接続されており、インバータ３ａ、３ｂ、３ｃ（まとめてインバータ３と呼ぶ）から供給された高周波電流が流れるように構成されている。
【００１９】
加熱コイルユニット１３は、加熱コイル２と、コイルベース６と、フェライト１９と、防磁リング１７と、を有している。
コイルベース６は、１つの加熱口１２に対して設けられた複数の加熱コイル２を一体的に保持している。具体的には、コイルベース６は、円形状に構成し、第一の加熱コイル２ａと、その周辺の４箇所にそれぞれ分けて配置した第二の加熱コイル２ｂ及び第三の加熱コイル２ｃとを保持している。このように、コイルベース６は、個別駆動が可能な５個の加熱コイル２（実際に個別駆動可能な加熱コイルは３個）を保持している。
なお、コイルベース６は、本発明における「保持手段」に相当する。
【００２０】
防磁リング１７は、コイルベース６の外周に、各加熱コイル２を取り囲むように設けられている。防磁リング１７は、加熱コイル２の外周を囲むことで、高周波電流が流れた際に上方の被加熱物１０に到達しない高周波磁界が、加熱コイル２の外部及び筐体１外部に漏れることを抑制している。
この防磁リング１７は、短冊状の導電性部材の両端部を電気的に導通可能に結合して形成されている。例えば、一方向に長い部材を円状に曲げ、端部をカシメるなどの圧接または溶接した結合部１８を設けることで形成し、電気的に導通したものになっている。従って、加熱コイル２により高周波磁界が発生すると、防磁リング１７には渦電流が流れ、防磁リング１７の内部抵抗により熱へと変換されることにより、漏れ磁束を抑制することとなる。
そして、防磁リング１７の両端部を結合した結合部１８は、コイルベース６で保持した複数の加熱コイル２のうち、平面視において隣接する加熱コイル２の間に配置されている。例えば、隣接した加熱コイル２の間が広い位置に配置されている。
なお、本実施の形態においては、円形状のコイルベース６の外周を囲むように、防磁リング１７を円形に形成した場合を説明するが、これに限るものではない。
なお、防磁リング１７は、本発明における「防磁手段」に相当する。
【００２１】
また、コイルベース６には加熱コイル２の下方にフェライト１９が設けられている。フェライト１９は、加熱コイル２で発生した磁界が加熱コイルユニット１３よりも下方に流れるのを防止するとともに、磁界を被加熱物１０へと集中させる目的がある。本実施の形態では設置例として、加熱コイル２の巻線と概直交するように、すなわち加熱コイル２に対して放射線状にする場合を図示している。
【００２２】
コイルベース６の下面には、被支持部材２０が形成されている。被支持部材２０は、例えば下部が開口した概円筒形状となっている。この被支持部材２０を支持する位置には、支持手段７が配置されている。支持手段７としては、圧縮バネ等の弾性体が例として挙げられ、支持手段７は上部がコイルベース６の被支持部材２０に挿入され、下部は加熱コイルユニット１３の下方に配置したコイル冷却ダクト２１に固定されている。これにより、コイルベース６は、支持手段７を介してコイル冷却ダクト２１に支持される。
【００２３】
支持手段７及び被支持部材２０は、平面視において隣接する加熱コイル間に配置されている。つまり、コイルベース６で保持した複数の加熱コイル２の間で、隣接した加熱コイル２の間が広い位置に配置されている。本実施の形態では、２箇所に分けて配置した第二の加熱コイル２ｂと、２箇所に分けて配置した第三の加熱コイル２ｃとの間の計４箇所に配置されている。
なお、支持手段７の数はこれに限るものではなく、コイルベース６が保持する加熱コイル２の数や、大きさなどにより適宜設定することができる。
また、図２の例では、隣接する加熱コイル２間の外周寄りに配置した場合を示すが、本発明はこれに限るものではない。例えば、隣接する加熱コイル２間の中央や内周寄りに配置しても良い。また、図２の例では、第二の加熱コイル２ｂと第三の加熱コイル２ｃとの間に支持手段７を配置したが、本発明はこれに限るものではない。例えば、第一の加熱コイル２ａと第二の加熱コイル２ｂとの間や、第一の加熱コイル２ａと第三の加熱コイル２ｃとの間に配置しても良い。
【００２４】
また、支持手段７は、隣接する加熱コイル２のうち、一方の加熱コイル２から生じる磁束と他方の加熱コイル２から生じる磁束とが、平面視において逆向きとなる位置に配置される。本実施の形態では、図２に示す矢印のように、第二の加熱コイル２ｂと第三の加熱コイル２ｃとに流れる電流は、第二の加熱コイル２ｂと第三の加熱コイル２ｃとの間の最も近い場所が打ち消しあう方向すなわち逆方向となるような構成となっている。なお、各加熱コイル２には高周波電流が供給されるため電流の向きは交互に変化するものであり、図２に示す電流の方向はある瞬間における電流の向きを示すものである。
なお、隣接する加熱コイル２の電流が同一周波数、逆位相となるようにインバータ３を駆動して、隣接する加熱コイル２間における磁束の向きが逆方向となるようにしてもよい。また、隣接する加熱コイル２で巻線の巻回方向を逆向きとして、同一波形の高周波電流を供給するようにインバータ３を駆動して、隣接する加熱コイル２間における磁束の向きが逆方向となるようにしてもよい。
【００２５】
また、支持手段７は、平面視において防磁リング１７の内側に設けられている。つまり、支持手段７は、コイルベース６の外周より内側で、且つ、隣接する加熱コイル２間に配置されている。
【００２６】
また、支持手段７は、コイルベース６の下方のうち、複数の加熱コイル２の各中心間を結ぶ直線上以外の位置に設けられている。本実施の形態では、図２に示すように、略円形に形成された第一の加熱コイル２ａと、略楕円形状に形成された第二の加熱コイル２ｂおよび第三の加熱コイル２ｃとの各中心間を結ぶ直線以外の位置に支持手段７を配置している。
【００２７】
また、支持手段７は、例えば圧縮バネなどの弾性体により構成され、コイルベース６をトッププレート１１の裏面に押し付けるように支持する。
コイルベース６の上面には、支持手段７と対向する上方位置に、間隔保持部材２２が設けられている。トッププレート１１が設けられた状態においては、間隔保持部材２２は、トッププレート１１の下面に押し当てられる。そして、コイルベース６及び加熱コイル２は、トッププレート１１の下面と所定の間隔を空けて、トッププレート１１と概平行に配置される。これにより、被加熱物１０と加熱コイル２の上面部との距離が適切に保たれて、誘導加熱を効率良く行なうことができる。また、加熱コイル２上面とトッププレート１１下面との間隔を適切に保ち、これらの間に加熱コイル２を冷却する冷却風が通過することを可能としている。間隔保持部材２２の材質としては、コイルベース６の一部を用いても良いが、コイルベース６とは別部材でゴムなど弾性のある材質で形成すると、間隔保持部材２２とトッププレート１１との密着度が向上するため、振動落下時など強い衝撃が加わった際でも加熱コイルユニット１３の位置ずれを抑えることが可能となる。トッププレート１１が設けられた状態においては、支持手段７はトッププレート１１とコイル冷却ダクト２１とによって圧縮される。この反力により、コイルベース６上の間隔保持部材２２は、トッププレート１１に直接的または間接的に押し当てられることとなる。
なお、ここでは間隔保持部材２２をコイルベース６の上面に設ける場合を説明したが、これに限らず、トッププレート１１の裏面側に設けるようにしても良い。つまり、間隔保持部材２２は、トッププレート１１とコイルベース６との間であって、支持手段７の上方に設けるようにすれば良い。
【００２８】
また、コイルベース６には、加熱コイル２を保持しない部分とフェライト１９が設けられていない部分及び被支持部材２０には、空隙２３が設けられており、通風可能となっている。また、保持する加熱コイル２の重量に耐えうる最低限のリブが形成されながら、通風抵抗の少ない構造となっている。
【００２９】
コイルベース６の下方には、コイル冷却ダクト２１が対向配置されている。コイル冷却ダクト２１は、制御基板が収納されたケース（図示省略）と接続されており、冷却ファン１４から送風されて制御基板ケース内を通過した後の空気がコイル冷却ダクト２１内に流れ込むようになっている。また、コイル冷却ダクト２１の上面（コイルベース６との対向面）には、加熱コイル２に向けて噴き出させる複数の噴流穴２４が風路の壁面上（上面）に形成されている。
【００３０】
図３は実施の形態１に係る誘導加熱調理器のブロック構成図である。
図３において、鍋載置判別部４は、被加熱物１０が加熱コイル２に対してどのような位置関係で載置されているかを判別し、制御部８へと出力する。被加熱物１０の載置位置判別は、各加熱コイル２を上面から見た投影面積と被加熱物１０の底面の面積とを比較し、投影面積の被加熱物１０の底面の面積に占める割合を算出することで、被加熱物１０の設置状態を検知して行なう。検知手段の具体例としては、例えば、各加熱コイル２の間に設けた照度センサのレベルにより設置状態を検知するものや、各加熱コイル２に微弱電流を流すことで変化するインピーダンス値から設置状態を検知するものなどの、任意の検知方法を用いることができる。
制御部８は、操作部５からの操作指示や鍋載置判別部４の検知結果等に基づき、インバータ３ａ、３ｂ、３ｃの駆動を制御する。各インバータ３は、制御部８からの駆動信号によりスイッチング素子が駆動され、高周波電流を加熱コイル２に供給する。
【００３１】
（動作）
以下、加熱時の具体的な動作の流れについて説明する。
使用者から操作部５を介して制御命令が入力されると、制御部８は第一のインバータ３ａ、第二のインバータ３ｂ及び第三のインバータ３ｃの出力を制御し、加熱の開始／停止や火力の設定などを行なうと同時に、冷却ファン１４を駆動させる。鍋載置判別部４は、加熱コイル２ａ〜２ｃに対向するトッププレート１１上に被加熱物１０が加熱コイル２ａ〜２ｃに対してどのような位置関係で載置されているかを判別する。鍋載置判別部４による判別結果は、制御部８に出力され、制御部８は入力された判別結果に基づいてインバータ３ａ〜３ｃを制御するように動作する。
【００３２】
図４は実施の形態１に係る加熱駆動動作を説明する図である。
図４（１）には、加熱コイル２上方から見て楕円形状の被加熱物１０が左右方向に載置される例を示している。このとき、鍋載置判別部４は、第一の加熱コイル２ａ上に被加熱物１０の底面の面積のうちの約５割、第二の加熱コイル２ｂ上に被加熱物１０の底面の面積のうちの約４割、第三の加熱コイル２ｃ上に被加熱物１０底面の面積のうちの約１割が載置されているものと判断する。その結果、制御部８は、鍋載置判別部４による出力に基づき、第一の加熱コイル２ａに当該加熱口で投入可能な最大電力３．０ｋＷのうち６割である１．８ｋＷを、第二の加熱コイル２ｂには最大電力３．０ｋＷのうち４割である１．２ｋＷを投入するようインバータ３ａ、３ｂを駆動し、第三の加熱コイル２ｃには電力を投入しないようインバータ３ｃを動作する。
【００３３】
図４（２）には、加熱コイル２上方から見て楕円形状の被加熱物１０が上下方向に載置される例を示している。このとき、鍋載置判別部４は、第一の加熱コイル２ａ上に被加熱物１０の底面の面積のうちの約５割、第三の加熱コイル２ｃ上に被加熱物１０の底面の面積のうちの約４割、第二の加熱コイル２ｂ上に被加熱物１０の底面の面積のうちの約１割が載置されているものと判断する。その結果、制御部８は、鍋載置判別部４による出力に基づき、第一の加熱コイル２ａに当該加熱口で投入可能な最大電力３．０ｋＷのうち６割である１．８ｋＷを、第三の加熱コイル２ｃには最大電力３．０ｋＷのうち４割である１．２ｋＷを投入するようインバータ３ａ、３ｃを駆動し、第二の加熱コイル２ｂには電力を投入しないようインバータ３ｃを動作する。
【００３４】
上記のような動作によって、加熱コイル２を駆動させることにより、インバータ３に実装される電子部品は自己発熱し温度上昇する。また、加熱コイル２も自己発熱し温度が上昇するとともに、漏れ磁束を抑制する防磁リング１７は誘導加熱により温度上昇する。
冷却ファン１４が駆動することにより発生する冷却風は、吸気口１５より吸い込まれ、制御基板２５を収納したケース内に流入する。制御基板２５のケースに流入した冷却風は、制御基板２５上の電子回路部品を冷却した後、コイル冷却ダクト２１に流入する。
コイル冷却ダクト２１に流入した冷却風は、コイル冷却ダクト２１上面の噴流穴２４より上方に噴き出され、上方に配置された加熱コイル２の冷却を行なう。コイルベース６には空隙２３が多数設けられているので、噴流穴２４から噴き出された冷却風は直接またはトッププレート１１との隙間を通過しながら、効率良く加熱コイル２に到達する。
また、コイルベース６に設けられた防磁リング１７とフェライト１９へも直接または間接的に冷却風は供給される。加熱コイル２などを冷却した冷却風は、筐体１上面の後方中央に設けられた排気口１６に向かう気流を形成し、最終的に排気口１６より筐体１外部へと吐き出される。
【００３５】
なお、上記の説明では、１つの加熱コイルユニット１３に、略円形に形成された第一の加熱コイル２ａと、略楕円形状に形成された第二の加熱コイル２ｂおよび第三の加熱コイル２ｃとを配置した場合を説明したが、本発明はこれに限るものではない。略円形状の加熱コイル２のみ、または、略楕円形状の加熱コイル２のみをコイルベース６に複数配置しても良い。また、配置位置も任意に設定することができる。例えば、略楕円状に形成した複数の加熱コイル２を一列に配置するようにしても良い。以下、このような配置例について図５により説明する。
【００３６】
図５は実施の形態１に係る加熱コイルユニットの別の例を示す上面図である。
図５において、コイルベース６は、図２の構成と同様に単独もしくは共同で可能な加熱コイル２を一体的に保持している。平面視において、単独で被加熱物１０を加熱可能な第一の加熱コイル２ａをコイルベースの中央に配置し、第一の加熱コイル２ａと共同または単独で被加熱物１０を加熱可能な第二の加熱コイル２ｂ及び第三の加熱コイル２ｃを、第一の加熱コイル２ａを挟んで略対称に配置している。
このような加熱コイル２の配置においても、支持手段７は、平面視において隣接する加熱コイル２の間に配置されている。また、支持手段７は、コイルベース６の下方のうち、略楕円状に形成された各加熱コイル２の各中心間を結ぶ直線上以外の位置に設けられる。また、支持手段７は、平面視において防磁リング１７の内側に設けられている。
また、防磁リング１７の結合部１８は、平面視において隣接する加熱コイル２の間に配置されている。その他の構成は上述した図２と同様の構成である。従って、図５のような加熱コイルユニット構成など同様の個別駆動可能な複数の加熱コイル２を一体的に保持したコイルベース６構成の場合においても、本実施の形態の効果を得ることが可能である。
【００３７】
（効果）
以上のように本実施の形態においては、コイルベース６により、１つの加熱口１２に対して設けられた複数の加熱コイル２を保持し、コイルベース６を支持する支持手段７は、平面視において隣接する加熱コイル２間に配置している。
このため、加熱コイルユニット１３の外周から支持手段７が大きく飛び出さないので、支持手段７を設置するエリアを水平方向でコンパクト化することができる。また、コイルベース６のサイズが大型化することにより発生する基板分割などによる電子部品点数や配線の増加に伴うコスト増加を防止することができる。同時に、風路面積減少すなわち通風抵抗の増加に伴う冷却ファン１４の回転数を高回転化する必要もなくなるため、運転騒音の増大を防止することが可能となる。
【００３８】
また、複数の加熱コイルを、複数のコイルベースにそれぞれ別々に載置する場合に比べ、コイルベース６の数が少なくて済み部品点数が削減できる。また、筐体１への加熱コイルユニット１３の取り付け工数が減り、組立コストが削減できる。よって組立性に優れた誘導加熱調理器を得ることができる。
【００３９】
また、コイルベース６のサイズを仮に大きくした場合でも、支持手段７をコイルベース６の外周部に設けた場合と比較して、複数の加熱コイル２の重心に近い場所で下方から支持できるので、コイルベース６の撓みを防止することできる。特に熱可塑性樹脂で形成したコイルベース６が使用中に高温となることで撓んでしまうのを防止することができる。よって、コイルベース６の強度が高く信頼性の高い誘導加熱調理器１００を提供することができる。
なお仮に、支持手段７をコイルベース６の外周部に設けた場合には、複数の加熱コイル２の重量を支えるべくコイルベース６にリブを多数設けることとなり、空隙２３が少なく冷却能力の低い加熱コイルユニット１３となってしまう。
【００４０】
また、コイル冷却ダクト２１上面に設けた噴流穴２４から見て加熱コイル２が支持手段７により隠れてしまうことがなくなるので、噴流穴２４から噴き出された冷却風が支持手段７により妨害されることなく、加熱コイル２へと到達し易く冷却能力に優れた加熱コイルユニット１３を構成することができる。
【００４１】
また、加熱コイルユニット１３を筐体１内に設置する場合でも、被支持部材２０と支持手段７との位置関係を加熱コイルユニット１３上方から確認し易くなるため、概円筒形状とした被支持部材２０に支持手段７の上部を挿入する際などでも容易に作業することができ、組立性に優れた誘導加熱調理器を提供することができる。
なお仮に、支持手段７を加熱コイル２の下方などに設けた場合には、加熱コイルユニット１３の上方から被支持部材２０と支持手段７との位置関係を確認するのは極めて難しくなる。
【００４２】
また本実施の形態においては、支持手段７は、隣接する加熱コイル２のうち、一方の加熱コイル２から生じる磁束と他方の加熱コイル２から生じる磁束とが、平面視において逆向きとなる位置に配置されている。
このため、支持手段７が金属製圧縮バネなどの導電性材料により構成した場合でも、誘導加熱されにくくすることができ、加熱による温度上昇を抑制することができる。よって、高温化に伴う支持手段７と接触しているコイル冷却ダクト２１や被支持部材２０の劣化を防止することができる。
なお仮に、加熱コイル２の下方に支持手段７を設けた場合には、金属製圧縮バネなど誘導加熱される材質で構成した際、誘導加熱されて高温化してしまい、周辺部品の劣化や酸化を促進してしまう恐れがある。
【００４３】
また本実施の形態においては、複数の加熱コイル２は、平面視において、略円形または略楕円形状に形成され、支持手段７は、コイルベース６の下方のうち、複数の加熱コイル２の各中心間を結ぶ直線上以外の位置に設けられている。
このため、略円形状または略楕円形状の加熱コイル２と支持手段７との距離を遠ざけられ、支持手段７の誘導加熱による影響を確実に防止することができる。また、コイルベース６のサイズをコンパクトにして周辺電子部品や風路用の面積拡大を図ることができる。
【００４４】
また本実施の形態においては、コイルベース６の外周に複数の加熱コイル２を取り囲むように設けられ、複数の加熱コイルからの磁束漏れを抑制する防磁リング１７を備えている。
これにより、複数の加熱コイル２からの漏れ磁束を低減することができる。また、複数の加熱コイル２それぞれに防磁リング１７を設けることなく部品点数を削減でき、部品コスト・組立コストを低減することができる。
【００４５】
また本実施の形態においては、防磁リング１７の結合部１８を平面視において一つのコイルベース６が保持する複数の加熱コイル２の間に設けているので、接触抵抗が大きく電流が流れた際に局所的に高温化する結合部１８と加熱コイル２との距離が離れ、誘導加熱されて流れる電流値を低減し、結合部１８の高温化防止が可能となる。それにより、耐久性・信頼性の高い誘導加熱調理器を提供することができる。
【００４６】
また本実施の形態においては、間隔保持部材２２を、トッププレート１１とコイルベース６との間であって、支持手段７の上方に設けたので、コイルベース６が被支持部材２０を介して支持手段７により下方から押し上げられた状態でも、間隔保持部材２２を挟んでトッププレート１１により上方から押さえられているので、コイルベース６の撓みを防止することができる。特に熱可塑性樹脂で形成したコイルベース６が使用中に高温となることで撓んでしまうのを防止することができる。よって、コイルベース６の強度が高く信頼性の高い誘導加熱調理器１００を提供することができる。
【００４７】
なお、本実施の形態では、誘導加熱調理器１００をビルトイン型（システムキッチン一体型）ＩＨクッキングヒータに用いた場合を例に説明したが、これに限定するものではなく、据え置き型や卓上型のＩＨクッキングヒータに用いても同様の作用効果を有することは言うまでもない。
【産業上の利用可能性】
【００４８】
以上のように、本発明にかかる誘導加熱調理器は、ビルトイン型はもちろん据え置き型の誘導加熱調理器の用途にも適用できる。
【符号の説明】
【００４９】
１  筐体、２  加熱コイル、３  インバータ、４  鍋載置判別部、５  操作部、６  コイルベース、７  支持手段、８  制御部、９  グリル、１０  被加熱物、１１  トッププレート、１２  加熱口、１３  加熱コイルユニット、１４  冷却ファン、１５  吸気口、１６  排気口、１７  防磁リング、１８  結合部、１９  フェライト、２０  被支持部材、２１  コイル冷却ダクト、２２  間隔保持部材、２３  空隙、２４  噴流穴、２５  制御基板、１００  誘導加熱調理器。
【図１】
2012243497.tif 000003
【図２】
2012243497.tif 000004
【図３】
2012243497.tif 000005
【図４】
2012243497.tif 000006
【図５】
2012243497.tif 000007
【手続補正書】
【提出日】平成23年12月15日(2011.12.15)
【手続補正１】
【補正対象書類名】明細書
【補正対象項目名】００１１
【補正方法】変更
【補正の内容】
【００１１】
本発明に係る誘導加熱調理器は、被加熱物が載置されるトッププレートと、前記トッププレートに形成され、前記被加熱物の載置位置を示す加熱口と、前記トッププレートの下方に配置され、１つの前記加熱口に対して複数設けられた加熱コイルと、１つの前記加熱口に対して設けられた前記複数の加熱コイルを保持する保持部材と、前記保持部材の下方に設けられ、前記保持部材を支持する支持手段と、を備え、前記支持手段は、１つの前記加熱口に対して複数設けられた前記加熱コイルのうち、平面視において隣接する前記加熱コイル間に配置されたものである。
【手続補正２】
【補正対象書類名】特許請求の範囲
【補正対象項目名】全文
【補正方法】変更
【補正の内容】
【特許請求の範囲】
【請求項１】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
を備え、
前記支持手段は、１つの前記加熱口に対して複数設けられた前記加熱コイルのうち、平面視において隣接する前記加熱コイル間に配置された
ことを特徴とする誘導加熱調理器。
【請求項２】
前記加熱コイルに高周波電流を供給する駆動回路を備え、
前記支持手段は、
隣接する前記加熱コイルのうち、一方の加熱コイルから生じる磁束と他方の加熱コイルから生じる磁束とが、平面視において逆向きとなる位置に配置された
ことを特徴とする請求項１記載の誘導加熱調理器。
【請求項３】
前記複数の加熱コイルは、
平面視において、略円形または略楕円形状に形成され、
前記支持手段は、
前記保持部材の下方のうち、前記複数の加熱コイルの各中心間を結ぶ直線上以外の位置に設けられる
ことを特徴とする請求項１または２記載の誘導加熱調理器。
【請求項４】
前記保持手段の外周に前記複数の加熱コイルを取り囲むように設けられ、前記複数の加熱コイルからの磁束漏れを抑制する防磁手段を備え、
前記支持手段は、平面視において前記防磁手段の内側に設けられた
ことを特徴とする請求項１〜３の何れかに記載の誘導加熱調理器。
【請求項５】
前記防磁手段は、
短冊状の導電性部材の両端部を電気的に導通可能に結合して形成され、
前記両端部を結合した結合部が、平面視において隣接する前記加熱コイル間に配置された
ことを特徴とする請求項４記載の誘導加熱調理器。
【請求項６】
前記支持手段は、
前記保持部材を前記トッププレートの裏面に押し付けるように支持する
ことを特徴とする請求項１〜５の何れかに記載の誘導加熱調理器。
【請求項７】
前記トッププレートと前記保持部材との間であって、前記支持手段の上方に設けられ、前記トッププレートと前記複数の加熱コイルとの間隔を、所定の間隔に保つ間隔保持部材を備えた
ことを特徴とする請求項１〜６の何れかに記載の誘導加熱調理器。
【手続補正書】
【提出日】平成24年3月8日(2012.3.8)
【手続補正１】
【補正対象書類名】明細書
【補正対象項目名】００１１
【補正方法】変更
【補正の内容】
【００１１】
本発明に係る誘導加熱調理器は、被加熱物が載置されるトッププレートと、前記トッププレートに形成され、前記被加熱物の載置位置を示す加熱口と、前記トッププレートの下方に配置され、１つの前記加熱口に対して複数設けられた加熱コイルと、１つの前記加熱口に対して設けられた前記複数の加熱コイルを一体的に保持する保持部材と、前記保持部材の下方に設けられ、前記保持部材を支持する支持手段と、を備え、前記支持手段は、１つの前記加熱口に対して複数設けられた前記加熱コイルのうち、平面視において隣接する前記加熱コイル間であって、平面視において前記加熱コイルの外側に配置されたものである。
【手続補正２】
【補正対象書類名】特許請求の範囲
【補正対象項目名】全文
【補正方法】変更
【補正の内容】
【特許請求の範囲】
【請求項１】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを一体的に保持する保持部材と、
前記保持部材の下方に設けられ、前記保持部材を支持する支持手段と、
を備え、
前記支持手段は、１つの前記加熱口に対して複数設けられた前記加熱コイルのうち、平面視において隣接する前記加熱コイル間であって、平面視において前記加熱コイルの外側に配置された
ことを特徴とする誘導加熱調理器。
【請求項２】
前記加熱コイルに高周波電流を供給する駆動回路を備え、
前記支持手段は、
隣接する前記加熱コイルのうち、一方の加熱コイルから生じる磁束と他方の加熱コイルから生じる磁束とが、平面視において逆向きとなる位置に配置された
ことを特徴とする請求項１記載の誘導加熱調理器。
【請求項３】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
前記加熱コイルに高周波電流を供給する駆動回路と、
を備え、
前記支持手段は、
導電性材料により構成され、
１つの前記加熱口に対して複数設けられた前記加熱コイルのうち、平面視において隣接する前記加熱コイル間であって、隣接する前記加熱コイルのうち、一方の加熱コイルから生じる磁束と他方の加熱コイルから生じる磁束とが、平面視において逆向きとなる位置に配置された
ことを特徴とする誘導加熱調理器。
【請求項４】
前記複数の加熱コイルは、
平面視において、略円形または略楕円形状に形成され、
前記支持手段は、
前記保持部材の下方のうち、前記複数の加熱コイルの各中心間を結ぶ直線上以外の位置に設けられる
ことを特徴とする請求項１〜３の何れかに記載の誘導加熱調理器。
【請求項５】
前記保持手段の外周に前記複数の加熱コイルを取り囲むように設けられ、前記複数の加熱コイルからの磁束漏れを抑制する防磁手段を備え、
前記支持手段は、平面視において前記防磁手段の内側に設けられた
ことを特徴とする請求項１〜４の何れかに記載の誘導加熱調理器。
【請求項６】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
前記保持手段の外周に前記複数の加熱コイルを取り囲むように設けられ、前記複数の加熱コイルからの磁束漏れを抑制する防磁手段と、
を備え、
前記支持手段は、
平面視において前記防磁手段の内側であって、
１つの前記加熱口に対して複数設けられた前記加熱コイルのうち、平面視において隣接する前記加熱コイル間に配置され、
前記防磁手段は、
短冊状の導電性部材の両端部を電気的に導通可能に結合して形成され、
前記両端部を結合した結合部が、平面視において隣接する前記加熱コイル間に配置された
ことを特徴とする誘導加熱調理器。
【請求項７】
前記支持手段は、
前記保持部材を前記トッププレートの裏面に押し付けるように支持する
ことを特徴とする請求項１〜６の何れかに記載の誘導加熱調理器。
【請求項８】
前記トッププレートと前記保持部材との間であって、前記支持手段の上方に設けられ、前記トッププレートと前記複数の加熱コイルとの間隔を、所定の間隔に保つ間隔保持部材を備えた
ことを特徴とする請求項１〜７の何れかに記載の誘導加熱調理器。
【手続補正書】
【提出日】平成24年6月20日(2012.6.20)
【手続補正１】
【補正対象書類名】明細書
【補正対象項目名】００１１
【補正方法】変更
【補正の内容】
【００１１】
本発明に係る誘導加熱調理器は、被加熱物が載置されるトッププレートと、前記トッププレートに形成され、前記被加熱物の載置位置を示す加熱口と、前記トッププレートの下方に配置され、１つの前記加熱口に対して複数設けられた加熱コイルと、１つの前記加熱口に対して設けられた前記複数の加熱コイルを一体的に保持する保持部材と、前記保持部材の下方に設けられ、前記保持部材を支持する支持手段と、前記加熱コイルに高周波電流を供給する駆動回路と、を備え、前記支持手段は、１つの前記加熱口に対して複数設けられた前記加熱コイルのうち、平面視において隣接する前記加熱コイル間であって、平面視において前記加熱コイルの外側に配置され、隣接する前記加熱コイルのうち、一方の加熱コイルから生じる磁束と他方の加熱コイルから生じる磁束とが、平面視において逆向きとなる位置に配置されたものである。
【手続補正２】
【補正対象書類名】特許請求の範囲
【補正対象項目名】全文
【補正方法】変更
【補正の内容】
【特許請求の範囲】
【請求項１】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを一体的に保持する保持部材と、
前記保持部材の下方に設けられ、前記保持部材を支持する支持手段と、
前記加熱コイルに高周波電流を供給する駆動回路と、
を備え、
前記支持手段は、
１つの前記加熱口に対して複数設けられた前記加熱コイルのうち、平面視において隣接する前記加熱コイル間であって、平面視において前記加熱コイルの外側に配置され、
隣接する前記加熱コイルのうち、一方の加熱コイルから生じる磁束と他方の加熱コイルから生じる磁束とが、平面視において逆向きとなる位置に配置された
ことを特徴とする誘導加熱調理器。
【請求項２】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
前記加熱コイルに高周波電流を供給する駆動回路と、
を備え、
前記支持手段は、
導電性材料により構成され、
１つの前記加熱口に対して複数設けられた前記加熱コイルのうち、平面視において隣接する前記加熱コイル間であって、隣接する前記加熱コイルのうち、一方の加熱コイルから生じる磁束と他方の加熱コイルから生じる磁束とが、平面視において逆向きとなる位置に配置された
ことを特徴とする誘導加熱調理器。
【請求項３】
前記複数の加熱コイルは、
平面視において、略円形または略楕円形状に形成され、
前記支持手段は、
前記保持部材の下方のうち、前記複数の加熱コイルの各中心間を結ぶ直線上以外の位置に設けられる
ことを特徴とする請求項１または２記載の誘導加熱調理器。
【請求項４】
前記保持手段の外周に前記複数の加熱コイルを取り囲むように設けられ、前記複数の加熱コイルからの磁束漏れを抑制する防磁手段を備え、
前記支持手段は、平面視において前記防磁手段の内側に設けられた
ことを特徴とする請求項１〜３の何れかに記載の誘導加熱調理器。
【請求項５】
被加熱物が載置されるトッププレートと、
前記トッププレートに形成され、前記被加熱物の載置位置を示す加熱口と、
前記トッププレートの下方に配置され、１つの前記加熱口に対して複数設けられた加熱コイルと、
１つの前記加熱口に対して設けられた前記複数の加熱コイルを保持する保持部材と、
前記保持部材の下方に設けられ、前記保持部材を支持する支持手段と、
前記保持手段の外周に前記複数の加熱コイルを取り囲むように設けられ、前記複数の加熱コイルからの磁束漏れを抑制する防磁手段と、
を備え、
前記支持手段は、
平面視において前記防磁手段の内側であって、
１つの前記加熱口に対して複数設けられた前記加熱コイルのうち、平面視において隣接する前記加熱コイル間に配置され、
前記防磁手段は、
短冊状の導電性部材の両端部を電気的に導通可能に結合して形成され、
前記両端部を結合した結合部が、平面視において隣接する前記加熱コイル間に配置された
ことを特徴とする誘導加熱調理器。
【請求項６】
前記支持手段は、
前記保持部材を前記トッププレートの裏面に押し付けるように支持する
ことを特徴とする請求項１〜５の何れかに記載の誘導加熱調理器。
【請求項７】
前記トッププレートと前記保持部材との間であって、前記支持手段の上方に設けられ、前記トッププレートと前記複数の加熱コイルとの間隔を、所定の間隔に保つ間隔保持部材を備えた
ことを特徴とする請求項１〜６の何れかに記載の誘導加熱調理器。